(57)【要約】【課題】迅速に所望の機能を実行することができるようにする。【解決手段】  ユーザがデジタル携帯電話機１を待ち受け状態（表示部１１と本体１３が重なり合って閉じている状態）の時にメールボタン２３を押下した後、表示部１１を本体１３に対して回動させ、開いた状態にした時、メールのメニュー画面を表示させるのではなく、その下位の階層の画面である新規メール作成画面をLCD２２に表示させる。これにより、ユーザは、直ちに、操作キー４１を操作してメールを作成することが可能になる。本発明は、デジタル携帯電話機やPDAに適用することができる。【選択図】図１
2005142833.tif 000002
【特許請求の範囲】
【請求項１】
第１の筐体と、前記第１の筐体に対して相対的に移動可能な第２の筐体とにより構成される電子機器において、
前記第１の筐体に対して前記第２の筐体が第１の位置にある場合におけるユーザの操作を検出する操作検出手段と、
前記第１の筐体に対する前記第２の筐体の相対的な移動位置を検出する位置検出手段と、
前記第１の筐体に対して前記第２の筐体が前記第１の位置から第２の位置に移動された場合、前記操作検出手段による検出結果に基づく機能を起動する起動手段と
を備えることを特徴とする電子機器。
【請求項２】
前記起動手段は、前記機能として、電子メールの作成処理機能を起動する
ことを特徴とする請求項１に記載の電子機器。
【請求項３】
前記起動手段は、前記機能として、ゲームのアプリケーションの操作処理機能を起動する
ことを特徴とする請求項１に記載の電子機器。
【請求項４】
前記電子機器は、携帯電話機である
ことを特徴とする請求項１に記載の電子機器。
【請求項５】
第１の筐体と、前記第１の筐体に対して相対的に移動可能な第２の筐体とにより構成される電子機器の制御方法であって、
前記第１の筐体に対して前記第２の筐体が第１の位置にある場合におけるユーザの操作を検出する操作検出ステップと、
前記第１の筐体に対する前記第２の筐体の相対的な移動位置を検出する位置検出ステップと、
前記第１の筐体に対して前記第２の筐体が前記第１の位置から第２の位置に移動された場合、前記操作検出ステップの処理による検出結果に基づく機能を起動する起動ステップと
を含むことを特徴とする制御方法。
【請求項６】
第１の筐体と、前記第１の筐体に対して相対的に回動可能な第２の筐体とにより構成される電子機器のプログラムであって、
前記第１の筐体に対して前記第２の筐体が第１の位置にある場合におけるユーザの操作を検出する操作検出ステップと、
前記第１の筐体に対する前記第２の筐体の相対的な移動位置を検出する位置検出ステップと、
前記第１の筐体に対して前記第２の筐体が前記第１の位置から第２の位置に移動された場合、前記操作検出ステップの処理による検出結果に基づく機能を起動する起動ステップと
をコンピュータに実行させることを特徴とするプログラム。
【請求項７】
第１の筐体と、前記第１の筐体に対して相対的に回動可能な第２の筐体とにより構成される電子機器のプログラムであって、
前記第１の筐体に対して前記第２の筐体が第１の位置にある場合におけるユーザの操作を検出する操作検出ステップと、
前記第１の筐体に対する前記第２の筐体の相対的な移動位置を検出する位置検出ステップと、
前記第１の筐体に対して前記第２の筐体が前記第１の位置から第２の位置に移動された場合、前記操作検出ステップの処理による検出結果に基づく機能を起動する起動ステップと
を含むことを特徴とするコンピュータが読み取り可能なプログラムが記録されている記録媒体。
【発明の詳細な説明】
【技術分野】
【０００１】
本発明は、電子機器およびその制御方法、プログラム、並びに記録媒体に関し、特に、操作性をより向上させることができるようにした電子機器およびその制御方法、プログラム、並びに記録媒体に関する。
【背景技術】
【０００２】
近年、ヒンジ部を有する折り畳み型のデジタル携帯電話機が普及してきている（例えば、特許文献１）。これらの折り畳み型デジタル携帯電話機は、主に表示部を有する第１の筐体と、種々のボタン等を含む操作部を有する第２の筐体とがヒンジ部を介して回動自在に連結されている。待ち受け時には、折り畳んで小型化することができるので良好な携帯性が得られる。また、通信時には第１の筐体と第２の筐体を展開することで良好な視認性をユーザに提供することが可能となる。
【特許文献１】特開２００３−２５８９６１号公報
【発明の開示】
【発明が解決しようとする課題】
【０００３】
しかしながら、折り畳み型のデジタル携帯電話機は、折り畳み時（待ち受け時）には、第１の筐体のLCD等で構成されるメインの表示部が内側に隠れてしまうので、種々の操作（受信メールを読む等の操作）の際には、その都度、第１の筐体と第２の筐体を展開する必要がある。
【０００４】
そして、例えば、新規のメールを作成する場合、筐体を開いてメニュー画像を表示させ、所定のボタンを押下してメール機能を選択し、さらに所定のボタンを押下して新規メールを作成するための画像（文字、数字等を入力するための画像）を表示させる。このように、実際にメールを作成するための画像を表示させるには、いくつかの操作を行う必要があり、迅速にメールを作成することができない課題があった。
【０００５】
本発明は、このような状況に鑑みてなされたものであり、より操作性の向上した電子機器を提供することができるようにするものである。
【課題を解決するための手段】
【０００６】
本発明の電子機器は、第１の筐体に対して第２の筐体が第１の位置にある場合におけるユーザの操作を検出する操作検出手段と、第１の筐体に対する第２の筐体の相対的な移動位置を検出する位置検出手段と、第１の筐体に対して第２の筐体が第１の位置から第２の位置に移動された場合、操作検出手段による検出結果に基づく機能を起動する起動手段とを備えることを特徴とする。
【０００７】
起動手段は、機能として、電子メールの作成処理機能を起動するようにすることができる。
【０００８】
起動手段は、機能として、ゲームのアプリケーションの操作処理機能を起動するようにすることができる。
【０００９】
電子機器は、携帯電話機であるようにすることができる。
【００１０】
本発明の電子機器の制御方法は、第１の筐体に対して第２の筐体が第１の位置にある場合におけるユーザの操作を検出する操作検出ステップと、第１の筐体に対する第２の筐体の相対的な移動位置を検出する位置検出ステップと、第１の筐体に対して第２の筐体が第１の位置から第２の位置に移動された場合、操作検出ステップの処理による検出結果に基づく機能を起動する起動ステップとを含むことを特徴とする。
【００１１】
本発明のプログラムは、第１の筐体に対して第２の筐体が第１の位置にある場合におけるユーザの操作を検出する操作検出ステップと、第１の筐体に対する第２の筐体の相対的な移動位置を検出する位置検出ステップと、第１の筐体に対して第２の筐体が第１の位置から第２の位置に移動された場合、操作検出ステップの処理による検出結果に基づく機能を起動する起動ステップとをコンピュータに実行させることを特徴とする。
【００１２】
本発明の記録媒体のプログラムは、第１の筐体に対して第２の筐体が第１の位置にある場合におけるユーザの操作を検出する操作検出ステップと、第１の筐体に対する第２の筐体の相対的な移動位置を検出する位置検出ステップと、第１の筐体に対して第２の筐体が第１の位置から第２の位置に移動された場合、操作検出ステップの処理による検出結果に基づく機能を起動する起動ステップとを含むことを特徴とする。
【００１３】
本発明においては、第１の筐体に対して第２の筐体を第２の位置に移動した場合、第１の筐体に対して第２の筐体が第１の位置にある状態の操作に基づく機能が起動される。
【発明の効果】
【００１４】
本発明によれば、電子機器を提供することができる。特に、より操作性が向上し、迅速に所望の機能を実行することができる。
【発明を実施するための最良の形態】
【００１５】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１６】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００１７】
本発明によれば、電子機器が提供される。この電子機器（例えば、図１のデジタル携帯電話機１）は、第１の筐体（例えば、図１の本体１３）と、第１の筐体に対して相対的に移動可能な第２の筐体（例えば、図１の表示部１１）とにより構成されている電子機器であって、第１の筐体に対して第２の筐体が第１の位置（例えば、図５Ａの表示部１１の位置）にある場合におけるユーザの操作を検出する操作検出手段（例えば、図３のユーザ操作情報管理部１２２）と、第１の筐体に対する第２の筐体の相対的な移動位置を検出する位置検出手段（例えば、図３の開閉状態管理部１２１）と、第１の筐体に対して第２の筐体が第１の位置から第２の位置（例えば、図５Ｃの表示部１１の位置）に移動された場合、操作検出手段による検出結果に基づく機能を起動する起動手段（例えば、図３の機能起動部１２４）とを含む。
【００１８】
この電子機器は、起動手段が、機能として、電子メールの作成処理機能を起動することを含む。
【００１９】
この電子機器は、起動手段が、機能として、ゲームのアプリケーションの操作処理機能を起動することを含む。
【００２０】
この電子機器は、携帯電話機（例えば、図１のデジタル携帯電話機１）であることを含む。
【００２１】
本発明によれば、電子機器の制御方法が提供される。この電子機器の制御方法は、第１の筐体と、第１の筐体（例えば、図１の本体１３）に対して相対的に移動可能な第２の筐体（例えば、図１の表示部１１）とにより構成される電子機器（例えば、図１のデジタル携帯電話機１）の制御方法であって、第１の筐体に対して第２の筐体が第１の位置（例えば、図５Ａの表示部１１の位置）にある場合におけるユーザの操作を検出する操作検出ステップ（例えば、図４のステップＳ３）と、第１の筐体に対する第２の筐体の相対的な移動位置を検出する位置検出ステップ（例えば、図４のステップＳ９）と、第１の筐体に対して第２の筐体が第１の位置から第２の位置（例えば、図５Ｃの表示部１１の位置）に移動された場合、操作検出ステップの処理による検出結果に基づく機能を起動する起動ステップ（例えば、図４のステップＳ１１）とを含む。
【００２２】
本発明によれば、プログラムが提供される。このプログラムは、第１の筐体と、第１の筐体（例えば、図１の本体１３）に対して相対的に移動可能な第２の筐体（例えば、図１の表示部１１）とにより構成される電子機器（例えば、図１のデジタル携帯電話機１）のプログラムであって、第１の筐体に対して第２の筐体が第１の位置（例えば、図５Ａの表示部１１の位置）にある場合におけるユーザの操作を検出する操作検出ステップ（例えば、図４のステップＳ３）と、第１の筐体に対する第２の筐体の相対的な移動位置を検出する位置検出ステップ（例えば、図４のステップＳ９）と、第１の筐体に対して第２の筐体が第１の位置から第２の位置（例えば、図５Ｃの表示部１１の位置）に移動された場合、操作検出ステップの処理による検出結果に基づく機能を起動する起動ステップ（例えば、図４のステップＳ１１）とを含む。
【００２３】
このプログラムは、記録媒体（例えば、図１のメモリスティック５１）に記録することができる。
【００２４】
以下に、本発明の実施の形態について図面を参照して説明する。
【００２５】
図１は、本発明を適用したデジタル携帯電話機１の外観の構成例を表している。デジタル携帯電話機１は、本体１３、および中央のヒンジ部１２を介して本体１３に対して相対的に移動（この実施の形態の場合、回動）自在に連結された表示部１１で構成されている。
【００２６】
表示部１１は、上端中央部にスピーカ２１を有する。スピーカ２１は、電気信号を可聴可能な音声に変換する。
【００２７】
また、表示部１１には、その正面にLCD（Liquid Crystal Display）２２が設けられており、LCD２２は、電波の受信状態、電池残量、電話帳として登録されている相手先名、電話番号および発信履歴の他、電子メールの内容、簡易ホームページ、および公衆回線網を介して、各種サーバ、携帯端末装置、デジタルカメラ、ビデオカメラまたは他のデジタル携帯電話機から送信された画像などを表示する。
【００２８】
さらに、表示部１１のLCD２２の下方には、電子メールボタン２３、ボタン２５、および発呼キー、終話及び電源キー、並びにクリアキー等の操作キー２６が設けられている。なお、ボタン２５は、ユーザによって所望のアプリケーション起動ボタンとして設定することが可能とされている。
【００２９】
また、表示部１１の操作キー２６の上部には、回動自在なジョグダイヤル２４が、表示部１１の表面から僅かに突出した状態で設けられている。ジョグダイヤル２４に対する回動操作に応じて、LCD２２に表示されている電話帳リストもしくは電子メールのスクロール動作、簡易ホームページのページ捲り動作、または画像の送り動作等の種々の動作が実行される。
【００３０】
例えば、ユーザによるジョグダイヤル２４の回動操作に応じてLCD２２に表示された電話帳リスト（複数の電話番号）の電話番号がスクロールされ、ジョグダイヤル２４が表示部１１の内部方向に押圧されたとき、選択されている電話番号を確定して、確定した電話番号に対して自動的に発呼処理が行なわれる。
【００３１】
図１は、表示部１１が本体１３に対して開放された位置にある状態を示しているが、後述する図５と図６に示されるように、本発明においては、表示部１１は、本体１３に対して閉じられた位置にある状態でも、そのLCD２２が外側に露出するように形成されている。従って、以上の操作は、図５と図６に示されるような、表示部１１が本体１３に対して開かれていない状態、すなわち、折り畳まれた状態（本体１３の表面が隠れている状態）でも可能である。
【００３２】
一方、本体１３には、その表面に「０」乃至「９」の数字キー等の操作キー４１が設けられている。ユーザはこの操作キー４１を操作することで、各種指示を入力する。
【００３３】
本体１３の操作キー４１の下部には、通話中の相手の音声を録音するメモボタン４２が設けられている。本体１３の下端部にはマイクロフォン４３が設けられている。マイクロフォン４３は、通話時の使用者の音声を集音し、電気信号に変換する。
【００３４】
なお、本体１３には、背面側に図示せぬバッテリパックが装着されており、終話および電源キーがオン状態になると、バッテリパックから各回路部に対して電力が供給されて動作可能な状態とされる。
【００３５】
本体１３の左側面には、着脱自在なメモリスティック５１（ソニー株式会社の商標）を装着するためのスロット４４が設けられている。メモボタン４２が押下されると、通話中の相手の音声が装着されているメモリスティック５１に記録される。メモリスティック５１には、ユーザの操作に応じて、電子メールや画像データなども記録される。
【００３６】
メモリスティック５１は、本願出願人の関係会社であるソニー株式会社によって開発されたフラッシュメモリの一種である。このメモリスティック５１は、縦21.5×横４８×厚さ２.８[mm]の小型薄型形状のプラスチックケース内に、電気的に書換えや消去が可能な不揮発性メモリであるEEPROM（Electrically Erasable Programmable Read-Only Memory）の一種であるフラッシュメモリ素子を格納したものであり、１０ピン端子を介して画像や音声、各種データの書き込み及び読み出しが可能となっている。
【００３７】
また、メモリスティック５１は、大容量化等による内蔵フラッシュメモリの仕様変更に対しても、使用する機器で互換性を確保することができる独自のシリアルプロトコルを採用し、最大書込速度1.5[MB/S]、最大読出速度2.45[MB/S]の高速性能を実現していると共に、誤消去防止スイッチを設けて高い信頼性を確保している。
【００３８】
デジタル携帯電話機１は、このようなメモリスティック５１を装着可能に構成されているために、メモリスティック５１を介して、他の電子機器との間でデータの共有化を図ることができる。
【００３９】
図２は、デジタル携帯電話機１の構成例を表している。同図に示されるように、制御データなどを伝送する制御ライン７１を介して、主制御部９１、通信部９２、音声処理部９３、表示制御部９４、記憶部９５、開閉検出部９６、スロット４４、および入力部６１（メールボタン２３、ジョグダイヤル２４、ボタン２５、操作キー２６、操作キー４１、およびメモボタン４２を有する）が相互に接続されている。また、音声データやパケットデータなどを伝送するデータライン７２を介して、主制御部９１、通信部９２、音声処理部９３、表示制御部９４、記憶部９５、スロット４４、スピーカ２１、およびマイクロフォン４３が接続されている。これらは、図示せぬ電源回路から必要な電力が供給されている。
【００４０】
主制御部９１は、CPU（Central Processing Unit）,ROM（Read Only Memory）,RAM（Random Access Memory）等を内蔵する。CPUは、ROMに記憶されているプログラム、または記憶部９５からRAMにロードされたプログラムに従って、各種の処理を実行する。ROMは、一般的には、CPUが使用する各種プログラムや演算用のパラメータのうちの基本的に固定のデータを格納する。RAMは、CPUが各種の処理を実行する上において必要なデータなどを適宜記憶する。
【００４１】
アンテナ１０１は、固定無線局である基地局（図示せず）との間で電波を送受信する。通信部９２は、アンテナ１０１で受信した受信信号を増幅して周波数変換処理およびアナログデジタル変換処理を施し、音声処理部９３に出力する。また通信部９２は、音声処理部９３から供給されたデジタル音声データをデジタルアナログ変換処理および周波数変換処理を施した後、アンテナ１０１を介して送信する。
【００４２】
音声処理部９３は、通信部９２より供給された高周波データをスペクトラム逆拡散処理し、アナログ音声信号に変換した後、スピーカ２１に出力する。また音声処理部９３は、マイクロフォン４３で集音された音声信号をデジタル音声データに変換し、スペクトラム拡散処理した後、通信部９２に出力する。
【００４３】
表示制御部９４は、LCD２２を制御し、各種情報をテキストやイメージなどで表示させる。
【００４４】
記憶部９５は、不揮発性メモリなどで構成され、主制御部９１のCPUが実行する各種プログラムやデータ（例えば、音声データや画像データ、および、電子メールや簡易ホームページにリンクされたデータ）などを記録する。
【００４５】
開閉検出部９６は、デジタル携帯電話機１の開閉状態を検出可能なスイッチなどで構成され、表示部１１が本体１３に対して相対的に開いた状態（図１に示されるような状態）なのか、または閉じた状態（後述する図５Ａまたは図６Ａに示されるような折り畳み状態）なのかを検出する。
【００４６】
スロット４４には、必要に応じて、メモリスティック５１が適宜装着され、そこから読み出されたプログラムが、必要に応じて記憶部９５にインストールされる。また、記憶部９５に記憶されている音声データや画像データ、あるいは、電子メールや簡易ホームページにリンクされたデータなどを、ユーザの操作により、メモリスティック５１に記録することもできる。
【００４７】
入力部６１は、メールボタン２３、ジョグダイヤル２４、ボタン２５、操作キー２６、操作キー４１、およびメモボタン４２などのうち、ユーザにより操作されたものに対応した信号を主制御部９１のCPUに入力する。
【００４８】
スピーカ２１は、データライン７２を介して供給されたデータ、またはアナログ音声信号に対応する所定の音声を出力する。マイクロフォン４３は、集音した音声を電気信号に変換し、データライン７２を介して音声処理部９３に出力する。
【００４９】
図３は、図２の主制御部９１のCPUの機能的構成例を表している。この例では、開閉状態管理部１２１は、開閉検出部９６の検出結果に基づいて、表示部１１の本体１３に対する相対的な開閉状態を管理し、開閉状態を示すフラグをユーザ操作情報管理部１２２に供給する。
【００５０】
ユーザ操作情報管理部１２２は、入力部６１が入力したユーザの操作情報を取得し、取得した操作情報を機能選択部１２３、機能起動部１２４、表示部１２５、および実行部１２６に供給する。機能選択部１２３は、供給された操作情報に基づいて、デジタル携帯電話機１が有する各種機能を選択し、選択した各種機能を表わす情報を機能起動部１２４に供給する。
【００５１】
機能起動部１２４は、機能選択部１２３、またはユーザ操作情報管理部１２２より供給された情報に基づいて、対応する機能（プログラム）を起動し、対応する表示画像を表示部１２５に表示させる。表示部１２５は、供給された情報に基づいて、LCD２２に画像を表示させる。実行部１２６は、ユーザ操作情報管理部１２２からの入力に基づいて、所定の機能（プログラム）を実行する。
【００５２】
次に、図４のフローチャートを参照して、デジタル携帯電話機１の動作について説明する。この処理は、デジタル携帯電話機１の電源がオンされているとき常に実行される。開閉状態管理部１２１は、ステップＳ１において、表示部１１の位置を取得し、ステップＳ２で、待ち受け状態か否かを判定する。すなわち、開閉スイッチ等で構成される開閉検出部９６は、図５Ａまたは図６Ａに示されるように、表示部１１が本体１３に対して相対的に折り畳まれている状態（待ち受け状態）であるのか、または図５Ｃもしくは図６Ｃに示されるように、相対的に開かれた状態（非待ち受け状態）にあるのかを常に検出しており、開閉状態管理部１２１は、ステップＳ１において、この情報を取得する。そして、ステップＳ２で、ステップＳ１の処理で取得された情報に基づいて、表示部１１と本体１３が折り畳まれている状態（待ち受け状態）か否かが判定される。
【００５３】
なお、ステップＳ２の処理では、図５Ｂおよび図６Ｂに示されるように、表示部１１が回動途中の状態は、待ち受け状態（折り畳まれている状態）と判定されるが、非待ち受け状態（開放状態）であると判定されるようにしてもよい。
【００５４】
ステップＳ２において、待ち受け状態であると判定された場合、すなわち、図５Ａまたは図６Ａ（並びに図５Ｂまたは図６Ｂ）に示される状態の場合、ステップＳ３において、ユーザ操作情報管理部１２２は、表示部１１に設けられている各種ボタン（メールボタン２３、ジョグダイヤル２４、ボタン２５、および操作キー２６）が操作されたか否かを判定する。
【００５５】
デジタル携帯電話機１は、図５および図６に示されるように、表示部１１がヒンジ部１２を中心として時計回り（図５Ｂ）、または反時計回り（図６Ｂ）に、本体１３の表面（操作キー４１が存在する面）に対してほぼ平行に回動可能とされている。すなわち、表示部１１は本体１３の表面に対して垂直な方向に回動されるわけではないので、閉じられた状態でも、LCD２２が操作キー４１と接する（対向する）ようにはならない。従って、LCD２２は、回動位置に拘わらず、常に視認可能である。また、表示部１１の表面のボタンは常に操作可能である。そこで、ステップＳ３では、いま図５Ａまたは図６Ａ（または図５Ｂもしくは図６Ｂ）に示される状態なので（ステップＳ２で待ち受け状態であると判定されている）、ホームページやメールの閲覧をするためにユーザが各種ボタンを押下したか否かが判定される。
【００５６】
ステップＳ３において、各種ボタン（メールボタン２３、ジョグダイヤル２４、ボタン２５、および操作キー２６）が操作されていないと判定された場合、ステップＳ４において、表示部１２５は、通常の待ち受け画像を表示する。
【００５７】
また、ステップＳ２で、待ち受け状態ではないと判定された場合（図５Ｃまたは図６Ｃに示されるような開放状態の場合）、ステップＳ５において、ユーザ操作情報管理部１２２は、表示部１１または本体１３に設けられている各種ボタン（メールボタン２３、ジョグダイヤル２４、ボタン２５、操作キー２６、操作キー４１、およびメモボタン４２）が操作されたか否かを判定する。すなわち、図５Ｃまたは図６Ｃに示される状態で、ホームページやメールの閲覧、または文字や数字等の入力を行うためにユーザが各種ボタンを押下したか否かが判定される。ステップＳ５で、各種ボタンが操作されていないと判定された場合、ステップＳ４において、表示部１２５は、通常の待ち受け画像を表示する。
【００５８】
ステップＳ４の処理の後、処理はステップＳ１に戻り、それ以降の処理が繰り返される。すなわち、ボタンが操作されない場合、待ち受け画面が表示された状態のままとなる。
【００５９】
一方、ユーザがボタンを操作した場合、このときユーザ操作情報管理部１２２は機能起動部１２４にユーザの操作情報（ユーザによって操作（押下）されたボタンを表す情報）を供給する。このときステップＳ５で、ボタンが操作されたと判定された場合、処理はステップＳ６に進む。ステップＳ６において、機能起動部１２４は、操作されたボタンに対応する機能を起動し、ステップＳ７において、表示部１２５は、起動された機能に基づく画像を表示する。すなわち、例えば、ユーザにより、メールボタン２３が操作（押下）された場合、ステップＳ６の処理でメール機能が起動され、ステップＳ７の処理でLCD２２にメールに関する各種項目（例えば、ユーザに選択されることで、「受信したメールの一覧」、「新規メールの作成」、および「送信したメールの一覧」などの画像を表示するための項目（選択肢））の一覧（メニュー画面）が表示される。
【００６０】
ユーザは、その表示に基づいて、さらに所定のボタンを操作し、入力を行う。そこで、ステップＳ８において、ユーザ操作情報管理部１２２は、ユーザからの入力を受け付ける。実行部１２６は受け付けられた入力に対応する処理を実行する。例えば、すなわち、ステップＳ６の処理でメール機能が起動された場合、上述したメールに関する各種項目が表示される。ユーザはさらにボタンを操作し、項目の中から、例えば新規メールを作成する機能を選択する。この選択入力に基づいて、新規メール作成画面が表示され、ユーザは操作キー４１を操作してメールの内容（文字）を入力する。入力が完了したとき、さらに送信が指示されれば、そのメールを送信する処理が実行される。
【００６１】
一方、ステップＳ３において、ボタンが操作されたと判定された場合、ステップＳ９において、ユーザ操作情報管理部１２２は、開閉状態管理部１２１の検出に基づいて、表示部１１が±１８０度に開いたか否かを判定する。具体的には、表示部１１が本体１３に対して閉じられた状態（図５Ａ）から、図５Ｂに示されるように、時計回りに回動され、図５Ｃに示されるような開いた状態（＋１８０度に開いた状態）に移行したか、または、閉じられた状態（図６Ａ）から、図６Ｂに示されるように、反時計回りに回動され、図６Ｃに示されるような開かれた状態（−１８０度に開いた状態）に移行したか否かが判定される。
【００６２】
ステップＳ９で、表示部１１が±１８０度に開いていないと判定された場合、処理はステップＳ６に進み、上述した場合と同様の処理が実行される。
【００６３】
一方、ステップＳ９で、表示部１１が±１８０度に開いた状態であると判定された場合、処理はステップＳ１０に進む。このときステップＳ１０において、機能選択部１２３は、ユーザ操作情報管理部１２２からの操作情報に基づいて、操作（押下）されたボタンに基づく機能を選択する。例えば、ステップＳ３の処理で操作されたと判定されたボタンがメールボタン２３であった場合、機能選択部１２３は、メールに関する機能のうち、その機能を実行するのに、本体１３の表面に配置されている操作キー４１を操作する必要がある機能を選択する。これにより、例えば、新規メールを作成するための機能が選択される。
【００６４】
ステップＳ１１において、機能起動部１２４は、ステップＳ１０の処理で選択された機能を起動する。例えば、新規メールを作成するための機能が起動される。ステップＳ１２において、表示部１２５は、ステップＳ１１の処理で起動された機能に基づいた画像を表示する。例えば、ステップＳ１１の処理で新規メールを作成するための機能が起動された場合、新規メール作成画面が表示される。
【００６５】
そこで、ユーザは、操作キー４１を操作して、メールの内容（文字）を入力する。ステップＳ８において、ユーザ操作情報管理部１２２は、ユーザの入力を受け付ける。具体的には、ステップＳ１２の処理で、新規メール作成画面が表示されている場合、メールの送信相手に対するメールアドレス（宛先）、メールの題名、およびメールの本文などの入力が受けつけられる。そして、さらに送信が指示されれば、そのメールを送信する処理が実行される。
【００６６】
以上のように、表示部１１が本体１３に対して閉じられた状態でメールボタン２３が押下され、その後、表示部１１が開かれた場合、操作キー４１を操作し、所望の文字や数字等の情報を入力することを、ユーザが希望していると推測することができる。従って、メールボタン２３が押下された場合、メールに関する機能を選択するためのメニュー画面を表示するのではなく、さらにその下位の階層の画面である新規メール作成画面が表示される。
【００６７】
また、例えば、メールボタン２３ではなく、ボタン２５が押下され、ボタン２５がインターネット機能をもつように設定されている場合（例えば、ｉモード（商標）等のオンラインサービスのためのボタンとして設定されている場合）、ステップＳ６の処理で、ボタン２５に対するオンラインサービスに対応する機能が起動され、ステップＳ７の処理で、オンラインサービスのメニュー画面が表示される。
【００６８】
これに対して、ステップＳ１０では、ｉアプリ（商標）等のゲーム機能を有するアプリケーションが選択され、ステップＳ１１で選択されたゲーム機能が起動し、ステップＳ１２で、ゲーム画面が表示される。
【００６９】
これにより、迅速にユーザが希望する機能を起動し、実行させることが可能になる。
【００７０】
以上、本発明を携帯電話機に適用した場合を説明したが、本発明は、その他の電子機器にも適用することができる。
【００７１】
本明細書において、上述した一連の処理を実行するステップは、記載された順序に沿って時系列的に行われる処理はもちろん、必ずしも時系列的に処理されなくても、並列的あるいは個別に実行される処理を含むものである。
【図面の簡単な説明】
【００７２】
【図１】本発明を適用したデジタル携帯電話機の外観の構成例を示す斜視図である。
【図２】図１のデジタル携帯電話機の構成例を示すブロック図である。
【図３】図１のデジタル携帯電話機のCPUの機能的構成例を示すブロック図である。
【図４】図１のデジタル携帯電話機の動作を説明するためのフローチャートである。
【図５】デジタル携帯電話機の開閉の原理を説明するための図である。
【図６】デジタル携帯電話機の開閉の原理を説明するための図である。
【符号の説明】
【００７３】
１  デジタル携帯電話機,  １１  表示部,  １３  本体,  ２３  メールボタン,  ５１  メモリスティック,  １２１  開閉状態管理部,  １２２  ユーザ操作情報管理部,  １２３  機能選択部,  １２４  機能起動部
【図１】
2005142833.tif 000003
【図２】
2005142833.tif 000004
【図３】
2005142833.tif 000005
【図４】
2005142833.tif 000006
【図５】
2005142833.tif 000007
【図６】
2005142833.tif 000008